(57)【要約】【課題】  簡単な構造で防犯性の向上が図れる雨戸装置を提供する。【解決手段】  建物の開口部に設けられた窓２の室外側に配置される少なくとも上枠３ａ及び下枠３ｂからなる枠３と、該枠３の上枠３ａと下枠３ｂの間に引き分け状にスライド開閉自在に設けられた雨戸５，５と、上枠３ａに設けられ、雨戸５の上部をスライド自在に支持するスライドレール４と、下枠３ｂに設けられる雨戸５の室内側下部に設けられたガイド片２９をスライド自在に案内するガイド部３０とを備え、前記下枠３ｂの中央部に、前記ガイド部３０を覆って補強すると共に上部に係合孔４６ａを有する第１補強部材４６を設け、前記両雨戸５，５の全閉時に突き合わされる戸先部１４ｃ，１４ｃの室内側下部に、雨戸５，５をこじ開けようとする時に雨戸５の下部が下枠３ｂから浮き上がることにより前記第１補強部材４６の係合孔４６ａに係合する係合部４７ａを有する第２補強部材４７を設けている。【選択図】          図８
2006104856.tif 000002
【特許請求の範囲】
【請求項１】
建物の開口部に設けられた窓の室外側に配置される少なくとも上枠及び下枠からなる枠と、該枠の上枠と下枠の間に引き分け状にスライド開閉自在に設けられた雨戸と、上枠に設けられ、雨戸の上部をスライド自在に支持するスライドレールと、下枠に設けられ、雨戸の室内側下部に設けられたガイド片をスライド自在に案内するガイド部とを備え、前記下枠の中央部に、前記ガイド部を覆って補強すると共に上部に係合孔を有する第１補強部材を設け、前記両雨戸の全閉時に突き合わされる戸先部の室内側下部に、雨戸をこじ開けようとする時に雨戸の下部が下枠から浮き上がることにより前記第１補強部材の係合孔に係合する係合部を有する第２補強部材を設けたことを特徴とする雨戸装置。
【発明の詳細な説明】
【技術分野】
【０００１】
本発明は、雨戸が両開きにスライド開閉する雨戸装置に関する。
【背景技術】
【０００２】
従来のこの種の雨戸装置としては、例えば実開昭５３−１６１５４９号公報等に記載されているものが知られている。この雨戸装置は、窓枠の上枠の室外側に雨戸用上レールを設け、窓枠の下枠の下面に雨戸用下レールを設け、雨戸用上レールの両側延長線上に雨戸用延長上レールを設けている。雨戸の上框には雨戸用上レール及び雨戸用延長上レール上を走行する吊車が設けられ、雨戸の下框には雨戸用下レール及び雨戸用延長下レール上を案内されるガイド片が設けられている。
【０００３】
前記雨戸装置においては、雨戸用上レール及び雨戸用下レールの両側延長線上に雨戸用延長上レール及び雨戸用延長下レールを設けているため、これらの延長レールが雨戸の全閉時に露出して見栄えないし意匠性が悪いだけでなく、延長レールが突出していて危険であるという問題がある。そこで、本出願人は、このような問題を解消した雨戸装置を先に出願した（特願２００３−３５７１１９号、未公開）。この雨戸装置は、建物の開口部に設けられた窓の室外側に配置される上枠、下枠及び左右の縦枠からなる枠と、該枠の上枠と下枠の間に、縦枠を通過するように両開きにスライド開閉自在に設けられた雨戸と、上枠に設けられ、雨戸の上部をスライド自在に支持するスライドレールと、下枠に設けられ、雨戸の室内側下部に設けられたガイド片をスライド自在に案内するガイド部とを備えている。両雨戸の全閉時に突き合わされる戸先部の室内側には錠装置が設けられている。
【０００４】
【特許文献１】実開昭５３−１６１５４９号公報
【発明の開示】
【発明が解決しようとする課題】
【０００５】
しかしながら、前記雨戸装置においては、雨戸の下部と下枠との間の隙間にバールなどを挿入してこじ開け、錠装置が解錠される可能性がある。この防犯対策として、例えば下枠にも雨戸の下部をスライド自在に支持するスライドレールを設置したり、或いはガイド片及びガイド部を補強したり、或いはガイド片とガイド部にこじ開け時に互いに係合する係合部を設けたりすることが検討されているが、コストの増加、或いは意匠性の悪化、或いは組立性の悪化を招くなどの問題がある。
【０００６】
本発明は、上記事情を考慮してなされたものであり、簡単な構造で防犯性の向上が図れる雨戸装置を提供することを目的とする。
【課題を解決するための手段】
【０００７】
本発明は、建物の開口部に設けられた窓の室外側に配置される少なくとも上枠及び下枠からなる枠と、該枠の上枠と下枠の間に引き分け状にスライド開閉自在に設けられた雨戸と、上枠に設けられ、雨戸の上部をスライド自在に支持するスライドレールと、下枠に設けられ、雨戸の室内側下部に設けられたガイド片をスライド自在に案内するガイド部とを備え、前記下枠の中央部に、前記ガイド部を覆って補強すると共に上部に係合孔を有する第１補強部材を設け、前記両雨戸の全閉時に突き合わされる戸先部の室内側下部に、雨戸をこじ開けようとする時に雨戸の下部が下枠から浮き上がることにより前記第１補強部材の係合孔に係合する係合部を有する第２補強部材を設けたことを特徴とする。
【発明の効果】
【０００８】
本発明によれば、建物の開口部に設けられた窓の室外側に配置される少なくとも上枠及び下枠からなる枠と、該枠の上枠と下枠の間に引き分け状にスライド開閉自在に設けられた雨戸と、上枠に設けられ、雨戸の上部をスライド自在に支持するスライドレールと、下枠に設けられ、雨戸の室内側下部に設けられたガイド片をスライド自在に案内するガイド部とを備え、前記下枠の中央部に、前記ガイド部を覆って補強すると共に上部に係合孔を有する第１補強部材を設け、前記両雨戸の全閉時に突き合わされる戸先部の室内側下部に、雨戸をこじ開けようとする時に雨戸の下部が下枠から浮き上がることにより前記第１補強部材の係合孔に係合する係合部を有する第２補強部材を設けているため、簡単な構造で防犯性の向上が図れる。
【発明を実施するための最良の形態】
【０００９】
以下に、本発明を実施するための最良の形態について、添付図面を基に詳述する。図１は本発明の実施の形態である雨戸装置を示す全閉時の室外側正面図、図２は同雨戸装置の全開時の室外側正面図、図３は図１の縦断面図、図４は全閉時の横断面図、図５は全開時の横断面図、図６はスライドレールを示す図で、（ａ）は横断面図、（ｂ）は全閉時の右半分の縦断面図、（ｃ）は全開時の右側部分の縦断面図である。図７は同雨戸装置の要部を示す縦断面図、図８は同横断面図、図９は第１補強部材の斜視図、図１０は第２補強部材を示す図で、（ａ）は室内側正面図、（ｂ）は斜視図である。
【００１０】
これらの図において、１は雨戸装置で、図示例の雨戸装置はユニット化された鎧戸セットとして形成されている。この雨戸装置１は、建物の開口部に設けられた窓例えば窓サッシ２の室外側に配置される少なくとも上枠３ａ及び下枠３ｂからなる枠３と、該枠３の上枠３ａと下枠３ｂの間に、左右方向に引き分け状ないし両開きにスライド開閉自在に設けられた雨戸５，５と、上枠３ａに設けられ、雨戸５，５の上部をスライド自在に支持するスライドレール４と、下枠３ｂに設けられ、雨戸５の室内側下部に設けられたガイド片２９をスライド自在に案内するガイド部３０とを備えている。図示例では、枠３は、上枠３ａ、下枠３ｂ及び左右の縦枠３ｃ，３ｃからなっているが、縦枠３ｃ，３ｃを備えていないタイプであっても良い。
【００１１】
窓サッシ２は、上枠６ａ、下枠６ｂ及び左右の縦枠６ｃ，６ｄからなるサッシ枠（窓枠）６と、このサッシ枠６内に引違いにスライド開閉自在に設けられた内外の障子７，８とを備えている。特に、図示例の窓サッシ（２）は、左右の縦枠６ｃ，６ｄの室外面に図示しない縦枠カバー材を着脱自在に備えており、雨戸装置１を取付ける場合、前記縦枠カバー材が取外され、左右の縦枠６ｃ，６ｄの室外側に雨戸装置１の左右の縦枠３ｃ，３ｃの室内側が当接配置されるようになっている。なお、９は開口部の室内側に設けられた額縁である。
【００１２】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には図示しない端部キャップが取付けられる。前記枠３の上枠３ａ及び下枠３ｂが建物の躯体の外壁に固着具例えばネジ１１で固定される。上枠３ａの室外面と、下枠３ｂの室外面とには、ネジ１１を隠すため及び装飾用として、例えばアルミ押出形材からなる上枠カバー材１２ａと、下枠化粧カバー材１２ｂとがそれぞれネジ止め等で着脱自在に取付けられる。各雨戸（戸体）５は、上框１４ａ、下框１４ｂ及び左右の縦框１４ｃ，１４ｄからなる框組１４内に波状ないし鎧状の金属プレート１５を組込んでなる。
【００１３】
前記スライドレール４は、上枠３ａに設けられた固定レール４ａと、該固定レール４ａに中間レール４ｂを介してスライド自在に支持された左右の可動レール４ｃとを有し、該可動レール４ｃが雨戸５の上框１４ａの室内面に設けられている。上枠３ａは、上枠カバー材１２ａを取付けた状態で横断面略逆Ｕ字状に形成されており、その下向きの凹溝１６内の室外面に固定レール４ａがネジ１７で着脱自在に取付けられている。前記雨戸５の上框１４ａの室内面に対して前記可動レール４ｃがネジ１８で取付けられている。上枠３ａに対して上枠カバー材１２ａは、凹溝１６側からネジ１３で着脱自在に取付けられている。スライドレール４により前記雨戸５は全開時に両縦枠３ｃより外側に突出した状態に保持されるように構成されている。
【００１４】
固定レール４ａは、上枠３ａの略全長に対応する長さの一本のレールからなっている。中間レール４ｂと可動レール４ｃは、それぞれ固定レール４ａの略半分の長さとされる。固定レール４ａと可動レール４ｃは、共に室内外方向の寸法を抑えた扁平形の横断面略Ｃ字状に形成され、内側（内部）に中間レール４ｂを挟み込む（覆い包む）ように相対向して配置されている。中間レール４ｂには固定レール４ａの上下の溝１９と、可動レール４ｃの上下の溝１９にそれぞれ対向する４つの溝２０が形成されており、各対向する溝１９，２０間にはボールベアリングとしてのボール（鋼球）２１が複数個ずつ設けられている。固定レール側には、固定レール側の上下のボール２１を固定レール４ａの長手方向に所定の間隔で回転自在に保持する固定レール側のボールリテーナー２２がレール長手方向に移動自在に設けられている。可動レール側には、可動レール側の上下のボール２１を可動レール４ｂの長手方向に所定の間隔で回転自在に保持する可動レール側のボールリテーナー２３がレール長手方向に移動自在に設けられている。
【００１５】
可動レール４ｃの伸張時（雨戸の全開時）にその最大伸張位置を規定するために、可動レール４ｃの後端部（収縮側）には可動レール側のボールリテーナー２３の後端部に当接して可動レール４ｃの伸張方向への移動を停止させる第１ストッパー２４が設けられ、中間レール４ｂの先端部（伸張側）には可動レール側のボールリテーナー２３の先端部に当接して当該ボールリテーナー２３の伸張方向への移動を停止させる第２ストッパー２５が設けられている。また、中間レール４ｂの後端（収縮側）には固定レール側のボールリテーナー２２の後端部に当接して中間レール４ｂの伸張方向への移動を停止させる第３ストッパー２６が設けられ、固定レール４ａの先端部（伸張側）には固定レール側のボールリテーナー２２の先端部に当接して当該ボールリテーナー２２の伸張方向への移動を停止させる第４ストッパー２７が設けられている。
【００１６】
なお、可動レール４ｃの収縮時（雨戸の全閉時）には、左右の可動レール４ｃ同士が当接して収縮方向への移動が停止されるようになっている。雨戸５の上部である上框１４ａには、スライドレール４の上部、特に雨戸全開時に上枠３ａの外側方へ突出される中間レール４ｂ及び可動レール４ｃの上部を覆う覆い部（雨避け）４５が設けられ、スライドレール４のボールベアリングに注入された潤滑材例えばグリースが雨で洗い流されるのを防止している。
【００１７】
雨戸５の下部を支持案内するために、雨戸装置１の下枠３ｂにもスライドレールを設けることが考えられるが、構造の簡素化及びコストの低減を図るために、雨戸５の室内側下部である下框１４ｂの室内面には横断面逆Ｌ字状で垂下したガイド片２９が長手方向に沿って設けられ、下枠３ｂには前記ガイド片２９を案内するガイド部３０が長手方向に沿って設けられている。このガイド部３０は、下枠３ｂの上面に突設された２条（一対）の立ち上がり片（フィン）３０ａ，３０ｂによって形成されたガイド溝３０ｃからなっている。ガイド溝３０ｃにはごみの侵入を防止するモヘア３１が設けられていることが好ましい。また、ガイド溝ｃ３０内の長手方向両端部には雨戸５の振れ（揺動）すなわちガイド片２９の室内外方向への振れを抑制する樹脂製の振れ止め部材３２が嵌合されて設けられている。
【００１８】
前記上枠３ａには左右の雨戸５の開閉を連動させる連動機構３３が設けられている。この連動機構３３は、一端が一方の雨戸５の合掌框１４ｃ側に、他端が他方の雨戸５の合掌框１４ｄ側にそれぞれ止め具（図示省略）を介して止着された左右一対のワイヤ３４、３４と、上枠３ａの左右両端部に配設されて各ワイヤ３４の中間部を巻き掛けた滑車３５，３５とから主に構成されている。滑車３５はワイヤ３４の張力を調整できるように上枠３ａの凹溝１６内の上方に図示しないブラケットと調整ネジを介してスライド調整可能に設けられている。
【００１９】
このように雨戸装置１は左右の雨戸５，５の開閉動作を連動させる連動機構３３を備えているため、引違い窓サッシ２の他方の障子７の室内側が家具で塞がっていて、当該障子７を開けて当該障子側の雨戸５を開閉操作することができない場合でも、一方の障子８を開けて当該障子側の雨戸５を開閉操作するだけで、これと連動して他方の雨戸５も開閉することができる。
【００２０】
雨戸全閉時の耐風圧性の向上（風の巻き込みによる雨戸のガタツキの防止）、光漏れの防止及び防犯性の向上を図るために、前記縦枠３ｃと前記雨戸５の背面部とには雨戸５の全閉時に互いに係合して両者間の隙間を覆う全閉時用返し部４０ａ，４０ｂが設けられている。図示例では、縦枠３ｃの室外面には外向きに突出した横断面略Ｌ字状の縦枠側全閉時用返し部４０ａが形成され、雨戸５の外側縦框１４ｄの室内面には前記縦枠側全閉時用返し部４０ａに係合するように内向きに突出した横断面略Ｌ字状の雨戸側全閉時用返し部４０ｂが形成されている。
【００２１】
また、雨戸全開時の耐風圧性の向上を図るために、前記縦枠３ｃと前記雨戸５の背面部とには雨戸５の全開時に互いに係合して両者間の隙間を覆う全開時用返し部４１ａ，４１ｂが設けられている。図示例では、縦枠側全閉時用返し部４０ａの室外面には内向きに突出した横断面略Ｌ字状の縦枠側全開時用返し部４１ａが形成され、雨戸５の合掌框１４ｃ，１４ｄの室内面には前記縦枠側全開時用返し部４１ａに係合するように外向きに突出した横断面略Ｌ字状の雨戸側全開時用返し部４１ｂが形成されている。
【００２２】
左右の雨戸５，５の全閉時に突き合わされる戸先部である合掌框（内側縦框）における一方の合掌框１４ｃの室内面にはその高さ方向略中央部に錠装置（例えば鎌錠）４２が設けられ、他方の合掌框１４ｃには施錠時に錠装置４２から回動しながら突出する円弧状の鎌形ボルトを引っ掛けるための受座４３が設けられている。錠装置４２の室内面には施解錠用の操作部４４が設けられ、この操作部４４を下方に動かすと施錠され、上方に動かすと解錠されるようになっている。
【００２３】
特に、防犯性の向上を図るために、図７〜図１０に示すように、前記下枠３ｂの中央部には、前記ガイド部３０を覆って補強すると共に上部に係合孔４６ａを有する第１補強部材４６が設けられ、前記両雨戸５，５の全閉時に突き合わされる合掌框（戸先部）１４ｃ，１４ｃの室内側下部には、雨戸をこじ開けようとする時に雨戸５の下部が下枠３ｂから浮き上がる（具体的には雨戸５の下部がスライドレール４を支点に回動して下枠３ｂから上方へ離れる）ことにより前記第１補強部材の係合孔４６ａに係合する係合部（係合用の突起部）４７ａを有する第２補強部材４７が設けられている。第１補強部材４６及び第２補強部材４７は、剛性を有する金属板により形成されている。
【００２４】
ガイド部３０を形成する室内外の立ち上がり片３０ａ，３０ｂのうちの室内側の立ち上がり片３０ｂにはその上縁部からサッシ枠６の下枠６ｂに当接すべく室内側に向って延出された延出片部３０ｄが形成されており、第１補強部材４６は、室外側立ち上がり片３０ａの室外面にあてがわれる垂直片部４６ｂと、前記延出片部３０ｄの上面にあてがわれる略水平の水平片部４６ｃとを有するように断面略Ｌ字状に形成されている。第１補強部材４６の横幅は３４ｍｍ程度である。第１補強部材４６は、前記延出片部３０ｄに対して水平片部４６ｃをネジ（固着具）４８で固定することにより取付けられている。この場合、延出片部３０ｄの下面にはネジ４８を捩じ込むための裏板４９が取付けられることが好ましい。
【００２５】
この第１補強部材４６によりガイド部３０を構成する室外側立ち上がり片３０ａがバール等で室外側に屈曲変形されたり破壊されるのを防止することができる。前記係合孔４６ａは、水平片部４６ｃにおけるガイド溝３０ｃと対応する部分に形成されている。一方、第２補強部材４７は、前記ガイド片２９と同様、断面逆Ｌ字状に形成され、その垂下片部４７ｂがガイド溝３０ｃ内に垂下されている。第２補強部材４７にはこれを合掌框１４ｃの室内面の下部にネジ５０で固定するための取付片部４７ｃが一体形成されている。
【００２６】
第２補強部材４７には雨戸閉方向に延出した延出部４７ｄが垂下片部４７ｂに一体形成されており、この延出部４７ｄの先端部に前記係合部４７ａが上向きに突出して形成されている。雨戸の全閉時に両雨戸５，５の合掌框１４ｃ、１４ｃの室内側下部に設けられている第２補強部材４７，４７の延出部４７ｄ，４７ｄが第１補強部材４６の水平片部４６ｃの下部に入り込んだ状態となる。この雨戸閉鎖状態（錠装置４２は施錠されていることとする）において、両雨戸５，５の合掌框１４ｃ、１４ｃにおける雨戸５と下枠３ｂ間の隙間にバール等を差し込んでこじ開けようとした場合、第２補強部材４７の係合部４７ａが第１補強部材４６の係合孔４６ａに係合し、それ以上雨戸５をこじ開けることが困難になる。
【００２７】
以上の構成からなる雨戸装置１によれば、建物の開口部に設けられた窓２の室外側に配置される少なくとも上枠３ａ及び下枠３ｂからなる枠３と、該枠３の上枠３ａと下枠３ｂの間に、引き分け状にスライド開閉自在に設けられた雨戸５，５と、上枠３ａに設けられ、雨戸５の上部をスライド自在に支持するスライドレール４と、下枠３ｂに設けられ、雨戸５の室内側下部に設けられたガイド片２９をスライド自在に案内するガイド部３０とを備え、前記下枠３ｂの中央部に、前記ガイド部３０を覆って補強すると共に上部に係合孔４６ａを有する第１補強部材４６を設け、前記両雨戸５，５の全閉時に突き合わされる合掌框１４ｃ、１４ｃの室内側下部に、雨戸５，５をこじ開けようとする時に雨戸５の下部が下枠３ｂから浮き上がることにより前記第１補強部材４６の係合孔４６ａに係合する係合部４７ａを有する第２補強部材４７を設けているため、簡単な構造で防犯性の向上が図れる。
【００２８】
すなわち、雨戸閉鎖状態において、両雨戸５，５の合掌框１４ｃ，１４ｃにおける雨戸５，５と下枠３ｂ間の隙間にバール等を差し込んでこじ開けようとした場合、ガイド部３０の左右方向中央部分が第１補強部材４６により覆われて補強されているため、ガイド部３０の室外側立ち上がり片３０ａが破壊ないし変形されにくく、しかも、こじ開け時に雨戸５の下部が下枠３ｂから浮き上がることにより第２補強部材４７の係合部４７ａが第１補強部材４６の係合孔４６ａに係合し、それ以上雨戸５，５をこじ開けることが困難になる。従って、防犯対策として下枠にスライドレール等を設ける場合と異なり、コストの増加や意匠性の悪化や組立性の悪化を招く問題がなく、簡単な構造で防犯性の向上が図れる。
【００２９】
一方、前記スライドレール４は、少なくとも上枠３ａに設けられた固定レール４ａと、該固定レール４ａに直接または間接的にスライド自在に支持された左右の可動レール４ｃとを有し、該可動レール４ｃが雨戸５の背面部に設けられ、前記雨戸５が全開時に両縦枠３ｃより外側に突出した状態に保持されるように構成されているため、全閉時及び全開時にレール４ａ，４ｃが室外側に露出することがなく、意匠性の向上及び安全性の向上が図れる。
【００３０】
また、前記可動レール４ｃが固定レール４ａに中間レール４ｂを介してスライド自在に支持されているため、雨戸５のスライド移動量すなわち開口幅を多くとることができ、採光面積を広く確保することができる。更に、前記固定レール４ａが上枠３ａの略全長に取付けられる一本のレールからなるため、固定レール４ａの脱着を伴うメンテナンスを行う場合、固定レール４ａが左右に分割されているものと異なり、固定レール４ａを左右バランスよく正確且つ容易に取付けることができ、左右の雨戸５をバランスよく支持することができて雨戸の戸締り性ないし施錠性の向上が図れる。
【００３１】
また、前記縦枠３ｃと前記雨戸５の背面部とには雨戸５の全閉時に互いに係合して隙間を覆う全閉時用返し部４０ａ，４０ｂが設けられているため、風の巻き込みによる雨戸５のバタツキを抑制することができ、雨戸５の全閉時における耐風圧性の向上が図れる。また、縦枠３ｃと雨戸５の間の隙間が覆われているため、光漏れを防止できると共に、隙間からバール等を挿入して錠装置（鎌錠）４２が解錠されたり破壊される恐れがなく、防犯性の向上が図れる。更に、前記縦枠３ｃと前記雨戸５の背面部とには雨戸５の全開時に互いに係合して隙間を覆う全開時用返し部４１ａ，４１ｂが設けられているため、雨戸５の全開時における耐風圧性の向上が図れる。
【００３２】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、スライドレールとしては、左右の雨戸間の開口幅を広くするために固定レールと、中間レールと、可動レールとからなる（固定レールに中間レールを介して可動レールを間接的に設けている）ことが好ましいが、本発明の場合、少なくとも固定レールと可動レールからなっていて（固定レールに可動レールを直接設けている）も良い。また、前記実施の形態では雨戸装置は窓とは別体でユニット化されているが、窓と一体に形成されていても良い。スライドレールの円滑な動きを確保するためにボールベアリングが採用されているが、ボールベアリングに代えて車輪、ローラ等を採用しても良い。
【図面の簡単な説明】
【００３３】
【図１】本発明の実施の形態である雨戸装置を示す全閉時の室外側正面図である。
【図２】同雨戸装置の全開時の室外側正面図である。
【図３】図１の縦断面図である。
【図４】全閉時横断面図である。
【図５】全開時横断面図である。
【図６】スライドレールを示す図で、（ａ）は横断面図である。（ｂ）は全閉時の右半分の縦断面図、（ｃ）は全開時の右側部分の縦断面図である。
【図７】同雨戸装置の要部を示す縦断面図である。
【図８】同横断面図である。
【図９】第１補強部材の斜視図である。
【図１０】第２補強部材を示す図で、（ａ）は室内側正面図、（ｂ）は斜視図である。
【符号の説明】
【００３４】
１  雨戸装置
２  窓サッシ（窓）
３  枠
３ａ  上枠
３ｂ  下枠
４  スライドレール
５  雨戸
１４ｃ  合掌框（戸先部）
２９  ガイド片
３０  ガイド部
４６  第１補強部材
４６ａ  係合孔
４７  第２補強部材
４７ａ  係合部
【図１】
2006104856.tif 000003
【図２】
2006104856.tif 000004
【図３】
2006104856.tif 000005
【図４】
2006104856.tif 000006
【図５】
2006104856.tif 000007
【図６】
2006104856.tif 000008
【図７】
2006104856.tif 000009
【図８】
2006104856.tif 000010
【図９】
2006104856.tif 000011
【図１０】
2006104856.tif 000012